(57)【要約】【課題】  ドアを閉じた状態のままで室内側から蝶番を簡単に取外すことが可能な、ドアの取付構造を提供する。【解決手段】  蝶番１を介してドア枠２にドア３を開閉自在に取り付けるドアの取付構造であって、上記蝶番１を、ドア枠２の内側面４に当てられる枠側羽根板５と、ドア３の側端面６に当てられるドア側羽根板７と、枠側羽根板５の室外方向端部８とドア側羽根板７の室外方向端部９とを回動自在に連結させる支軸１０と、ドア側羽根板７の室内方向端部１４からＬ字状に延設されてドア３の室内側板面１１に当てられる延長板１２とで形成するとともに、上記蝶番１の枠側羽根板５をドア枠２の内側面４に固着させ、上記蝶番１の延長板１２をドア３の室内側板面１１に固着させることを特徴としたものとする。【選択図】        図１
2007056633.tif 000002
【特許請求の範囲】
【請求項１】
蝶番を介してドア枠にドアを開閉自在に取り付けるドアの取付構造であって、上記蝶番を、ドア枠の内側面に当てられる枠側羽根板と、ドアの側端面に当てられるドア側羽根板と、枠側羽根板の室外方向端部とドア側羽根板の室外方向端部とを回動自在に連結させる支軸と、ドア側羽根板の室内方向端部からＬ字状に延設されてドアの室内側板面に当てられる延長板とで形成するとともに、上記蝶番の枠側羽根板をドア枠の内側面に固着させ、上記蝶番の延長板をドアの室内側板面に固着させることを特徴とするドアの取付構造。
【発明の詳細な説明】
【技術分野】
【０００１】
本発明は、蝶番を介してドア枠にドアを開閉自在に取付ける為の技術に関するものである。
【背景技術】
【０００２】
ドア枠にドアを開閉自在に取付ける際に用いられる蝶番として一般的なものは、一対の羽根板と、両羽根板の端部同士を回動自在に連結させる支軸とで形成されるものであり、一方の羽根板をドア枠の内側面にねじ固定するとともに、他方の羽根板をドアの側端面にねじ固定する構造である（特許文献１参照）。ところが、上記蝶番を用いた従来の取付構造にあっては、ドアを閉じた状態においては両羽根板が対面するように位置するので該羽根板のねじを外すことができず、したがってドアを閉じた状態のまま該ドアを蝶番から取外すことが不能であった。そして、従来の蝶番を用いた取付構造が上記の通りであることから、以下の場合に問題が生じるものである。
【０００３】
まず、最近はサムターン回しによる不正解錠を防止する為に、ドアの室内側板面に設置するサムターンを着脱自在に設けて施解錠の操作時以外はサムターンを取外しておくことが提案されている（特許文献２参照）。このような着脱自在なサムターンを備えたドアの場合、施錠後に取外しておいたサムターンを地震等の災害時に紛失した際にはドアを開ける為に該ドアを蝶番から取外す必要があるのに対して、この場合にはドアが閉じた状態にあって上記の如く蝶番を取外すことができないという問題が生じる。また、ドアを閉じた状態のまま地震によりドア枠が変形してドアが開閉不能となった場合にも、同様に蝶番からドアを外してしまうことが求められるのだが、やはり従来の構造ではドアを閉じた状態で該ドアを蝶番から取外すことができないという問題が生じる。
【特許文献１】特開２００５−５４３７６号公報
【特許文献２】特開２００５−６８７７６号公報
【発明の開示】
【発明が解決しようとする課題】
【０００４】
本発明は上記問題点に鑑みて発明したものであって、ドアを閉じた状態のままで室内側から蝶番を簡単に取外すことが可能な、ドアの取付構造を提供することを課題とするものである。
【課題を解決するための手段】
【０００５】
上記課題を解決するために本発明を、蝶番１を介してドア枠２にドア３を開閉自在に取り付けるドアの取付構造であって、上記蝶番１を、ドア枠２の内側面４に当てられる枠側羽根板５と、ドア３の側端面６に当てられるドア側羽根板７と、枠側羽根板５の室外方向端部８とドア側羽根板７の室外方向端部９とを回動自在に連結させる支軸１０と、ドア側羽根板７の室内方向端部１４からＬ字状に延設されてドア３の室内側板面１１に当てられる延長板１２とで形成するとともに、上記蝶番１の枠側羽根板５をドア枠２の内側面４に固着させ、上記蝶番１の延長板１２をドア３の室内側板面１１に固着させることを特徴としたものとする。
【０００６】
上記構成の取付構造にあっては、蝶番１の枠側羽根板５をドア枠２の内側面４に対して固着させると同時に、蝶番１のドア側羽根板７を、該ドア側羽根板７から延設されて室内側に露出する延長板１２を介してドア３の室内側板面１１に固着させることができるので、ドア３が閉じてあって蝶番１の枠側羽根板５とドア側羽根板７とが対面する状態のままであっても、室内側に露出する延長板１２とドア３との固着を室内側から解除することで蝶番１からドア３を外し、これによりドア枠２からドア３を取外すことができる。
【発明の効果】
【０００７】
本発明は、ドアを閉じた状態のままで室内側から蝶番を簡単に取外すことが可能になるといった効果を奏する。
【発明を実施するための最良の形態】
【０００８】
以下、本発明を添付図面に示す実施形態に基いて説明する。図１に示す一例のドアの取付構造は、建築躯体２０の開口部に設けたロ字状を成すドア枠２の、左右縦枠２ａ，２ｂの一方（図示例では縦枠２ａ）に蝶番１を介してドア３を開閉自在に取り付けるものである。
【０００９】
上記蝶番１は、薄板状を成す枠側羽根板５の端部（後述の室外方向端部８）と、同じく薄板状を成すドア側羽根板７の端部（後述の室外方向端部９）とを、円柱状を成す支軸１０を介して回動自在に連結させるとともに、ドア側羽根板７の支軸１０と連結される側とは反対側の端部（後述の室内方向端部１４）から、ドア側羽根板７と直交する方向に向けて薄板状の延長板１２をＬ字状に延長させた構造になっている。上記枠側羽根板５と延長板１２には、それぞれ複数のビス穴１３を貫設している。
【００１０】
ドア枠２の縦枠２ａ部分の内側面４には、上記蝶番１の枠側羽根板５が面一に嵌め込まれる形状の切欠を凹設している。また、ドア３の吊元側の側端面６であって、ドア３を閉じた状態で縦枠２ａの切欠と対向する部分には、上記蝶番１のドア側羽根板７が面一に嵌め込まれる形状の切欠を凹設している。
【００１１】
そして、ドア３を取付けるにあたっては、上記蝶番１の枠側羽根板５とドア側羽根板７との連結を解除した状態で、この枠側羽根板５を縦枠２ａの内側面４の切欠に嵌合させ、枠側羽根板５のビス穴１３を通して縦枠２ａに取付ビスである固着具１５を螺着させる。これにより、枠側羽根板５を内側面４に当てた状態で該枠側羽根板５が縦枠２ａにねじ固定される。一方、上記蝶番１のドア側羽根板７をドア３の側端面６の切欠に嵌合させるとともに、延長板１２をドア３の室内側板面１１に当てた状態で、延長板１２のビス穴１３を通じて室内側からドア３に取付ビスである固着具１６を螺着させる。これにより、ドア側羽根板７をドア３の側端面６に当て且つ延長板１２を室内側板面１１に当てた状態で、ドア側羽根板７は延長板１２を介してドア３にねじ固定される。なお、図中１７はドア３の内部空間に配される裏板であり、この裏板１７に、延長板１２を介してドア３内に挿入される固着具１６を螺着させるようになっている。
【００１２】
上記の如くドア枠２に固着される枠側羽根板５の室外方向端部８と、ドア３に固着されるドア側羽根板７の室外方向端部９とを、ドア枠２及びドア３よりも室外方向に突出する位置にて支軸１０を介して鉛直軸中心に回動自在に連結させることで、本例の蝶番１を形成する。このような蝶番１を上下複数箇所に備えることで、ドア３をドア枠２に開閉自在に取付けるものである。
【００１３】
上記構成の取付構造によれば、ドア３を室外側に開くように開閉自在に取付けることができ、しかも蝶番１の枠側羽根板５にあってはこれをドア枠２の内側面４に強固に固着させるとともに、ドア側羽根板７にあってはこれを該ドア側羽根板７からＬ字状に延設されて室内側に露出する延長板１２を介してドア３にねじ固定することができる。そして、ドア３を閉じて枠側羽根板５とドア側羽根板７とが対面する状態にあっても、ドア側羽根板７をドア３に固着させる為の延長板１２は室内側に露出するので、延長板１２を通じてドア３に螺着される固着具１６は、室内側から容易に取外すことが可能である。
【００１４】
つまり、ドア３の施解錠手段としてサムターン（図示せず）を着脱自在に備えてあって施錠後に取外しておいたサムターンを地震等の災害時に紛失した場合や、ドア３を閉じた状態のまま地震によりドア枠２が変形してしまったような場合には、ドア３を閉じた状態のままで蝶番１からドア３を取外して室外に脱出することが可能であり、したがって災害時に室内に閉じ込められるといった危険が防止される。
【図面の簡単な説明】
【００１５】
【図１】本発明の実施形態における一例のドアの取付構造を示す水平断面図である。
【符号の説明】
【００１６】
１  蝶番
２  ドア枠
３  ドア
４  内側面
５  枠側羽根板
６  側端面
７  ドア側羽根板
８  室外方向端部
９  室外方向端部
１０  支軸
１１  室内側板面
１２  延長板
１４  室内方向端部
【図１】
2007056633.tif 000003